(57)【要約】【課題】ビス等の締結具を用いることなくトップカバーを単独で簡単に取り付け及び取り外しでき、組立ラインでの検査作業とサービスマンによるメンテナンス作業を簡単に効率良く行うことができる画像形成装置を提供すること。【解決手段】装置本体から排出される用紙をストックするトップカバー８を本体フレーム３の上部に取り付けて成るレーザープリンタ（画像形成装置）１において、前記トップカバー８の裏面に係合爪１４とボス１５を突設し、前記係合爪１４を前記本体フレーム３の上部に形成された係合孔１６に係合させるとともに、前記ボス１５を前記本体フレーム３の上部に形成された嵌合孔１７に嵌合させることによって前記トップカバー８を本体フレーム３に固定する。【選択図】図９
2009169120.tif 000002
【特許請求の範囲】
【請求項１】
装置本体から排出される用紙をストックするトップカバーを本体フレームの上部に取り付けて成る画像形成装置において、
前記トップカバーの裏面に係合爪とボスを突設し、前記係合爪を前記本体フレームの上部に形成された係合孔に係合させるとともに、前記ボスを前記本体フレームの上部に形成された嵌合孔に嵌合させることによって前記トップカバーを本体フレームに固定することを特徴とする画像形成装置。
【請求項２】
前記トップカバーに取り付けられる操作パネルの端面に固定リブを突設するとともに、該固定リブに前記操作パネルから延びるハーネスを通し、前記トップカバーに形成された嵌合孔に前記固定リブを嵌合させて前記操作パネルを前記トップカバーに組み付けることを特徴とする請求項１記載の画像形成装置。
【請求項３】
前記トップカバーの周縁に係合孔をそれぞれ形成し、各係合孔に側面カバーの上部内面に突設された係合爪を係合させることによって各側面カバーを位置決めすることを特徴とする請求項１又は２記載の画像形成装置。
【請求項４】
前記トップカバーの周縁に段部を形成し、該段部に前記側面カバーの上端縁に形成された係合凹部を係合させたことを特徴とする請求項３記載の画像形成装置。
【発明の詳細な説明】
【技術分野】
【０００１】
本発明は、装置本体から排出される用紙をストックするトップカバーを本体フレームの上部に取り付けて成る画像形成装置に関するものである。
【背景技術】
【０００２】
電子写真方式によって用紙に画像を形成する複写機やプリンタ等の画像形成装置には、装置本体から排出される用紙をストックするトップカバーを本体フレームの上部に取り付けて成るものがあり、斯かる画像形成装置の側面周囲は左右のサイドカバーと前後のフロントカバー及びリヤカバーから成る側面カバーによって覆われている。
【０００３】
ところで、この種の画像形成装置の組み立てにおいては、４つの側面カバーを本体フレームに取り付けた後にトップカバーが本体フレームに取り付けられていた。
【特許文献１】特開平６−３１７９５４号公報
【特許文献２】特開平１１−２０２０６８号公報
【発明の開示】
【発明が解決しようとする課題】
【０００４】
ところが、上述のように側面カバーを本体フレームに取り付けた後にトップカバーを本体に取り付ける組立順序を採用すると、組立ラインにおいて用紙に画像を形成してトップカバー上に用紙を排紙する検査作業を側面カバーが取り付けられている状態で行う必要があり、甚だ作業性が悪いという問題があった。
【０００５】
又、サービスマンによるメンテナンス時には、側面カバーだけを取り外すことができないため、先ずトップカバーを取り外した後に側面カバーを取り外し、その後にトップカバーだけを取り付け、本体フレームの左右に取り付けられている基板等をチェックしながら画像を形成してトップカバー上に用紙を排出する必要があり、その作業が面倒で能率が悪いという問題もあった。
【０００６】
本発明は上記問題に鑑みてなされたもので、その目的とする処は、ビス等の締結具を用いることなくトップカバーを単独で簡単に取り付け及び取り外しでき、組立ラインでの検査作業とサービスマンによるメンテナンス作業を簡単に効率良く行うことができる画像形成装置を提供することにある。
【課題を解決するための手段】
【０００７】
上記目的を達成するため、請求項１記載の発明は、装置本体から排出される用紙をストックするトップカバーを本体フレームの上部に取り付けて成る画像形成装置において、前記トップカバーの裏面に係合爪とボスを突設し、前記係合爪を前記本体フレームの上部に形成された係合孔に係合させるとともに、前記ボスを前記本体フレームの上部に形成された嵌合孔に嵌合させることによって前記トップカバーを本体フレームに固定することを特徴とする。
【０００８】
請求項２記載の発明は、請求項１記載の発明において、前記トップカバーに取り付けられる操作パネルの端面に固定リブを突設するとともに、該固定リブに前記操作パネルから延びるハーネスを通し、前記トップカバーに形成された嵌合孔に前記固定リブを嵌合させて前記操作パネルを前記トップカバーに組み付けることを特徴とする。
【０００９】
請求項３記載の発明は、請求項１又は２記載の発明において、前記トップカバーの周縁に係合孔をそれぞれ形成し、各係合孔に側面カバーの上部内面に突設された係合爪を係合させることによって各側面カバーを位置決めすることを特徴とする。
【００１０】
請求項４記載の発明は、請求項３記載の発明において、前記トップカバーの周縁に段部を形成し、該段部に前記側面カバーの上端縁に形成された係合凹部を係合させたことを特徴とする。
【発明の効果】
【００１１】
請求項１記載の発明によれば、トップカバーだけをビス等の締結具を用いることなく先に本体フレームに仮固定することができるため、組立ラインでの検査作業に際して側面カバーが作業の邪魔になることがなく、所要の検査を作業性良く効率的に行うことができる。又、サービスマンによるメンテナンスに際しては、トップカバーだけを残して側面カバーを取り外すことができるため、本体フレームの左右に取り付けられている基板等をチェックしながら画像を形成してトップカバー上に用紙を排出すことができ、メンテナンスを作業性良く効率的に行うことができる。
【００１２】
請求項２記載の発明によれば、操作パネルの端面に突設された固定リブに操作パネルから延びるハーネスを通し、トップカバーに形成された嵌合孔に固定リブを嵌合させて操作パネルをトップカバーに組み付けるようにしたため、該操作パネルの組付時にハーネスが噛み込まれて損傷するという不具合の発生が防がれる。
【００１３】
請求項３記載の発明によれば、トップカバーを本体フレームに最初に取り付けた後、側面カバーの上部内面に突設された係合爪をトップカバーの周縁に形成された係合孔に係合させることによって側面カバーを位置決めして本体フレームに簡単且つ正確に取り付けることができる。
【００１４】
請求項４記載の発明によれば、トップカバーを取り付けた後に側面カバーを取り付ける際、側面カバーの上端縁に形成された係合凹部がトップカバーの周縁に形成された段部に係合するため、各側面カバーのトップカバーへの合わせ部に隙間が発生せず、外観性が高められるとともに、装置本体内への異物の侵入が防がれる。
【発明を実施するための最良の形態】
【００１５】
以下に本発明の実施の形態を添付図面に基づいて説明する。
【００１６】
図１は本発明に係る画像形成装置の斜視図、図２は操作パネルを外した状態の図１のＡ部拡大詳細図、図３は同画像形成装置の分解斜視図、図４は図３のＢ部拡大詳細図、図５は図３のＣ部拡大詳細図、図６はトップカバーの底面図、図７は図６のＤ部拡大詳細図、図８は図６のＥ部拡大詳細図、図９はトップカバーの組付構造を示す画像形成装置要部の側断面図、図１０はトップカバーの部分斜視図、図１１は図１０のＦ−Ｆ線断面図、図１２はサイドカバーのトップカバーへの組付構造を示す断面斜視図、図１３は操作パネルの斜視図である。
【００１７】
図１に示す画像形成装置１は、レーザープリンタであって、矩形ボックス状の装置本体２を備えており、この装置本体２の内部には、図３に示すように、本体フレーム３に組み込まれた感光ドラム、帯電器、現像装置、転写装置、定着装置等の各種プロセス機器（何れも不図示）が内蔵されている。そして、装置本体２の前面（図１の手前側を前方とする）は、手差しトレイを兼ねる開閉可能なフロントカバー４で覆われ、左右はサイドカバー５，６で覆われ、後面はリヤカバー７で覆われ、上面はトップカバー８によってそれぞれ覆われている。尚、フロントカバー４とサイドカバー５，６及びリヤカバー７は側面カバーを構成しており、これらとトップカバー８は何れも樹脂によって一体成形されている。
【００１８】
ところで、図１に示すように、装置本体２の下部には図３に示す給紙カセット９が着脱可能に装着されており、この給紙カセット９は装置本体２の前面側から着脱される。又、トップカバー８の前面側右隅部には操作パネル１０が装着されており、図２及び図１０に示すように、トップカバー８の操作パネル１０が装着される部分には、後述のように操作パネル１０から延びるハーネス１１を通すための矩形の嵌合孔１２が形成されている。
【００１９】
而して、本実施の形態に係るレーザープリンタ１においては、装置本体２に内蔵された不図示の各種プロセス機器による電子写真プロセスを経て用紙に画像が形成されるが、画像が形成された用紙は前記トップカバー８へと排出されてストックされる。ここで、トップカバー８には、ジャム処理等のメンテナンス時に図１に示すように開くことができる開閉カバー８Ａが設けられており、この開閉カバー８Ａは、その左右がヒンジ１３によって上下に回動可能に支持されている。そして、この開閉カバー８Ａの裏面には、フロントカバー４を開いたときに装置本体２内のプロセス機器を覆うためのインナーカバー８Ｂが略垂直に取り付けられている。
【００２０】
又、図６〜図８に示すように、トップカバー８の裏面（内面）の左右には係合爪１４とボス１５が一体に突設されており、本体フレーム３の左右のフランジ部には、図４及び図５に示すように、トップカバー８の裏面に突設された前記係合爪１４が係合するための矩形の係合孔１６とトップカバー８の裏面に突設された前記ボス１５が嵌合するための円形の嵌合孔１７がそれぞれ形成されている。そして、図６に示すように、トップカバー８の左右にはブラケット８ａ，８ｂが一体に突設され、これらのブラケット８ａ，８ｂにはビスの挿通孔１８がそれぞれ形成されており、本体フレーム３のフランジ部の前記挿通孔１８に対応する位置には、図４及び図５に示すように、ビスをねじ込むための円孔状のねじ孔１９が形成されている。又、図６に示すように、トップカバー８の裏面には、不図示のインターロックを押すためのリブ８ｃが一体に形成されている。
【００２１】
更に、図１０及び図１１に示すように、トップカバー８の周囲の４辺の長手方向略中央部には矩形孔状の係合孔２０（図１０及び図１１には１つのみ図示）が形成されている。
【００２２】
而して、トップカバー８は本体フレーム３に対して単独に着脱可能であって、レーザープリンタ１の組み立て時には、トップカバー８は、側面カバーであるフロントカバー４と左右のサイドカバー５，６及びリヤカバー７を本体フレーム３に組み付ける前に取り付けることができ、又、メンテナンス時等においては、トップカバー８を本体フレーム３に残したままフロントカバー４と左右のサイドカバー５，６及びリヤカバー７を本体フレーム３から取り外すことができる。
【００２３】
即ち、トップカバー８は、図９に示すように、その裏面に突設された係合爪１４（図６〜図８参照）を本体フレーム３に形成された係合孔１６（図４及び図５参照）に差し込んで係合させた後、同じく裏面に突設されたボス１５（図６〜図８参照）を本体フレーム３に形成された嵌合孔１７（図４及び図５参照）に嵌合させることによって本体フレーム３に取り付けられ（仮止め）、ブラケット８ａ，８ｂに形成された挿通孔１８（図６参照）に挿通する不図示のビスを本体フレーム３に形成されたねじ孔１９（図４及び図５参照）にねじ込むことによって本体フレーム３に固定される。
【００２４】
而して、レーザープリンタ１の組立時には、上述のようにして本体フレーム３にフロントカバー４と左右のサイドカバー５，６及びリヤカバー７を取り付ける前に、先ず、トップカバー８だけをビス等の締結具を用いることなく本体フレーム３に仮固定することができるため、組立ラインでの検査作業に際してフロントカバー４とサイドカバー５，６及びリヤカバー７が作業の邪魔になることがなく、所要の検査を作業性良く効率的に行うことができる。そして、所要の検査が終了した後に、フロントカバー４とサイドカバー５，６及びとリヤカバー７を以下の要領で本体フレーム３に組み付けることができる。
【００２５】
即ち、例えば右側のサイドカバー６の組み付けは、図１２に示すように、サイドカバー６の上部内面中央に内側に向かって突設された鍵状の係合爪２１をトップカバー８に形成された係合孔２０に差し込んで係合させて該サイドカバー６を位置決めした後、サイドカバー６の下部に形成された不図示の挿通孔に挿通するビスを本体フレーム３の不図示のねじ孔にねじ込むことによってなされる。このとき、図１１及び図１２に示すように、トップカバー８の周縁の斜面には段部８ｄが形成されており、該段部８ｄにサイドカバー６の上端縁に形成された係合凹部６ａが係合する。このようにトップカバー８を取り付けた後にサイドカバー６を取り付ける際、該サイドカバー６の上端縁に形成された係合凹部６ａがトップカバー８の周縁に形成された段部８ｄに係合するため、サイドカバー６のトップカバー８への合わせ部に隙間が発生せず、その部分の外観性が高められるとともに、装置本体２内への異物の侵入が防がれる。
【００２６】
又、前述のようにトップカバー８を本体フレーム３に最初に取り付けた後、サイドカバー６の上部内面に突設された係合爪２１をトップカバー８の周縁に形成された係合孔２０に係合させて該サイドカバー６を位置決めするようにしたため、サイドカバー６を本体フレーム３に簡単且つ正確に取り付けることができる。尚、以上は右側のサイドパネル６の組付要領についてのみ説明したが、左側のサイドカバー５とフロントカバー４及びリヤカバー７の組付要領も右側のサイドカバー６のそれと同じであるため、これについての説明は省略する。
【００２７】
ところで、トップカバー８には操作パネル１０が組み付けられるが、図１３に示すように、操作パネル１０のトップカバー８への合わせ面の１つには門柱状の固定リブ１０ａが一体に突設されており、操作パネル１０から延びるハーネス１１は固定リブ１０ａを通って外部に導出しており、その端部にはコネクタ２２が接続されている。
【００２８】
而して、操作パネル１０は、固定リブ１０ａをトップカバー８に形成された嵌合孔１２（図２及び図１０参照）に嵌合させて位置決めした後、ビス止めによってトップカバー８に取り付けられる。このとき、前述のように操作パネル１０の端面に突設された固定リブ１０ａに操作パネル１０から延びるハーネス１１を通し、トップカバー８に形成された嵌合孔１２に固定リブ１０ａを嵌合させて操作パネル１０をトップカバー８に組み付けるようにしたため、該操作パネル１０の組付時にハーネス１１が噛み込まれて損傷するという不具合の発生が防がれる。
【００２９】
他方、レーザープリンタ１のサービスマンによるメンテナンス時には、トップカバー８だけを残してフロントカバー４とサイドカバー５，６及びリヤカバー７を取り外すことができるため、本体フレーム２の左右に取り付けられている基板等をチェックしながら画像を形成してトップカバー８上に用紙を排出すことができ、メンテナンスを作業性良く効率的に行うことができる。例えば、右側のサイドカバー６を取り外す場合、先ず、サイドカバー６を本体フレーム３に固定しているビスを取り外して該サイドカバー６の固定を解除した後、サイドカバー６を持ち上げて係合爪２１のトップカバー８の係合孔２０への係合を解除すれば、サイドカバー６だけを本体フレーム３から容易に取り外すことができる。尚、左側のサイドカバー５とフロントカバー４及びリヤカバー７も右側のサイドカバー６と同様に本体フレーム３から容易に取り外すことができる。
【００３０】
尚、以上は本発明をレーザープリンタに適用した形態について説明したが、本発明は、プリンタの他、複写機やファクシミリ等の他の画像形成装置に対しても同様に適用可能であることは勿論である。
【図面の簡単な説明】
【００３１】
【図１】本発明に係る画像形成装置の斜視図である。
【図２】操作パネルを外した状態の図１のＡ部拡大詳細図である。
【図３】本発明に係る画像形成装置の分解斜視図である。
【図４】図３のＢ部拡大詳細図である。
【図５】図３のＣ部拡大詳細図である。
【図６】本発明に係る画像形成装置のトップカバーの底面図である。
【図７】図６のＤ部拡大詳細図である。
【図８】図６のＥ部拡大詳細図である。
【図９】トップカバーの組付構造を示す画像形成装置要部の側断面図である。
【図１０】本発明に係る画像形成装置のトップカバーの部分斜視図である。
【図１１】図１０のＦ−Ｆ線断面図である。
【図１２】本発明に係る画像形成装置におけるサイドカバーのトップカバーへの組付構造を示す断面斜視図である。
【図１３】本発明に係る画像形成装置の操作パネルの斜視図である。
【符号の説明】
【００３２】
１          レーザープリンタ（画像形成装置）
２          装置本体
３          本体フレーム
４          フロントカバー（側面カバー）
５，６      サイドカバー（側面カバー）
６ａ        サイドカバーの係合凹部
７          リヤカバー（側面カバー）
８          トップカバー
８Ａ        開閉カバー
８Ｂ        インナーカバー
８ａ，８ｂ  トップカバーのブラケット
８ｃ        トップカバーのリブ
８ｄ        トップカバーの段部
９          給紙カセット
１０        操作パネル
１０ａ      操作パネルの固定リブ
１１        ハーネス
１２        トップカバーの嵌合孔
１３        ヒンジ
１４        トップカバーの係合爪
１５        トップカバーのボス
１６        本体フレームの係合孔
１７        本体フレームの嵌合孔
１８        ビスの挿通孔
１９        本体フレームのねじ孔
２０        トップカバーの係合孔
２１        サイドカバーの係合爪
２２        コネクタ
【図１】
2009169120.tif 000003
【図２】
2009169120.tif 000004
【図３】
2009169120.tif 000005
【図４】
2009169120.tif 000006
【図５】
2009169120.tif 000007
【図６】
2009169120.tif 000008
【図７】
2009169120.tif 000009
【図８】
2009169120.tif 000010
【図９】
2009169120.tif 000011
【図１０】
2009169120.tif 000012
【図１１】
2009169120.tif 000013
【図１２】
2009169120.tif 000014
【図１３】
2009169120.tif 000015